(57)【特許請求の範囲】
【請求項１】
作業者が電柱に昇り過ぎるのを防止するために、前記電柱に巻き付けて着脱自在に取り付けられる電柱用危険標示帯であって、
帯状で変形自在な帯本体と、
変形自在で前記帯本体の端部に設けられ、前記電柱に配設されたステップを挿入自在なポケットと、
前記ポケットに前記ステップを挿入して前記帯本体を前記電柱に巻き付けた状態で、該巻き付け状態を保持する保持手段と、
を備えることを特徴とする電柱用危険標示帯。
【請求項２】
前記ポケットが前記帯本体の両端部に設けられている、
ことを特徴とする請求項１に記載の電柱用危険標示帯。
【請求項３】
前記保持手段は、前記帯本体の両端部側に設けられた面ファスナによって構成されている、
ことを特徴とする請求項１または２のいずれか１項に記載の電柱用危険標示帯。
【請求項４】
前記ポケットに前記ステップを挿入しないで前記帯本体を前記電柱に巻き付けた状態で、該巻き付け状態を保持する第２の保持手段を備える、
ことを特徴とする請求項１から３のいずれか１項に記載の電柱用危険標示帯。
【発明の詳細な説明】
【技術分野】
【０００１】
この発明は、作業者が電柱に昇り過ぎて接近限界距離（危険エリア）に立ち入るのを防止・抑制するための電柱用危険標示帯に関する。
【背景技術】
【０００２】
例えば、配電作業において電柱に昇って間接活線作業を行う場合、作業者が誤って昇り過ぎて身体が高圧活線接近限界距離に立ち入るのを防止するために、危険標示帯を電柱に巻き付けている。この危険標示帯は、帯状で、表面に「高圧接近注意」などの注意喚起メッセージが記載・標示され、電柱に巻き付けて取り付けられるようになっている。そして、作業者は、この危険標示帯を見て、これ以上昇ってはいけないと認識するものである。
【０００３】
また、感電災害から作業者を守ることができ、かつ、簡易に取り付けることができる、という接近防止器具が知られている（例えば、特許文献１参照。）。この接近防止器具は、表面に「高圧接近危険」が記載された板状の危険表示部の裏面に、開口部を有する環状の把持環が配設され、開口部から把持環を電柱に押し込んで取り付けるものである。
【先行技術文献】
【特許文献】
【０００４】
【特許文献１】特開平１１−２６２１２３号公報
【発明の概要】
【発明が解決しようとする課題】
【０００５】
ところで、間接活線作業などを行っている作業者は、作業全般にわたって作業対象を主に見て作業に集中している。一方、危険標示帯は、帯状で電柱に巻かれているだけであり、目視のみで注意を喚起するものある。このため、作業者が作業に夢中になったり目線が危険標示帯よりも上になったりして、危険標示帯を見逃してしまい、危険標示帯よりも上に昇ってしまうおそれがある。
【０００６】
また、特許文献１の接近防止器具は、板状の危険表示部と環状の把持環とを備え、立体的で大きな構造となっている。このため、携帯性が悪く、作業帯の物入れ（ポケット）などに入れて持ち運ぶことができず、電柱の上に運ぶには、ロープなどで電柱上に持ち上げなければならず、多大な時間と労力とを有し、作業者の負担も大きい。
【０００７】
そこでこの発明は、作業者が電柱に昇り過ぎるのをより確実に防止・抑制することが可能で、しかも、携帯性がよい電柱用危険標示帯を提供することを目的とする。
【課題を解決するための手段】
【０００８】
上記課題を解決するために、請求項１の発明は、作業者が電柱に昇り過ぎるのを防止するために、前記電柱に巻き付けて着脱自在に取り付けられる電柱用危険標示帯であって、帯状で変形自在な帯本体と、変形自在で前記帯本体の端部に設けられ、前記電柱に配設されたステップを挿入自在なポケットと、前記ポケットに前記ステップを挿入して前記帯本体を前記電柱に巻き付けた状態で、該巻き付け状態を保持する保持手段と、を備えることを特徴とする。
【０００９】
この発明によれば、ポケットにステップが挿入され、帯本体が電柱に巻き付けられた状態が、保持手段によって保持される。
【００１０】
請求項２の発明は、請求項１に記載の電柱用危険標示帯において、前記ポケットが前記帯本体の両端部に設けられている、ことを特徴とする。
【００１１】
請求項３の発明は、請求項１または２に記載の電柱用危険標示帯において、前記保持手段は、前記帯本体の両端部側に設けられた面ファスナによって構成されている、ことを特徴とする。
【００１２】
請求項４の発明は、請求項１から３に記載の電柱用危険標示帯において、前記ポケットに前記ステップを挿入しないで前記帯本体を前記電柱に巻き付けた状態で、該巻き付け状態を保持する第２の保持手段を備える、ことを特徴とする。
【発明の効果】
【００１３】
請求項１の発明によれば、帯本体が電柱に巻き付けられるため、作業者は視覚によって、この電柱用危険標示帯よりも上に昇ってはいけないことを認識することができる。さらに、作業者が電柱用危険標示帯よりも上に昇ろうとしてステップに手を掛けると、ステップがポケットに挿入されているため、作業者は手の握り感覚（触覚）によって、この電柱用危険標示帯よりも上に昇ってはいけないことを認識することができる。このように、作業者は、視覚と触覚の両方によって、電柱用危険標示帯よりも上に昇ってはいけないことを認識することができ、作業者が電柱に昇り過ぎるのをより確実・効果的に防止・抑制することが可能となり、安全性が向上する。
【００１４】
しかも、帯本体とポケットとが変形自在なため、折り畳んで作業帯の物入れなどに入れて持ち運ぶことが可能となり、携帯性がよい。つまり、持ち運びや取り扱いが楽で、作業者への負担を軽減することができる。
【００１５】
請求項２の発明によれば、ポケットが帯本体の両端部に設けられているため、帯本体を逆さまにすることなく、左右どちらのステップもポケットに挿入することができる。この結果、帯本体の表面に注意喚起メッセージなどが記載されている場合でも、このメッセージなどが逆さまにならず、適切に注意喚起することができる。このように、１つの電柱用危険標示帯で左右どちらのステップにも適用・対応して、適切に注意喚起することができる。
【００１６】
請求項３の発明によれば、保持手段が面ファスナで構成されているだけであるため、構成が簡易であるとともに、全体を軽量化・小型化することができる。さらに、着脱操作が容易で、作業者への負担をより軽減することができる。
【００１７】
請求項４の発明によれば、ポケットにステップを挿入しないで場合でも、帯本体を電柱に巻き付けて第２の保持手段で保持することができるため、ステップがない箇所にも電柱用危険標示帯を取り付けて、作業者に対して注意喚起することができる。
【図面の簡単な説明】
【００１８】
【図１】この発明の実施の形態に係る電柱用危険標示帯の取付状態を示す斜視図である。
【図２】図１の電柱用危険標示帯の正面図（ａ）と背面図（ｂ）である。
【図３】図１の電柱用危険標示帯のポケットとステップとの関係を示す正面図である。
【図４】図１の電柱用危険標示帯のポケットに電柱のステップを挿入した状態を示す斜視図である。
【図５】図１の電柱用危険標示帯をステップがない箇所に取り付けた状態を示す斜視図である。
【発明を実施するための形態】
【００１９】
以下、この発明を図示の実施の形態に基づいて説明する。
【００２０】
図１は、この発明の実施の形態に係る電柱用危険標示帯１の取付状態を示す斜視図である。この電柱用危険標示帯１は、作業者が電柱１００に昇り過ぎるのを防止するために、電柱１００に巻き付けて着脱自在に取り付けられる帯体であり、図２に示すように、主として、帯本体２と、ポケット３、４と、面ファスナ（保持手段、第２の保持手段）５〜８と、を備えている。ここで、電柱１００には、電力柱や通信柱を含み、所定の間隔で左右交互に、棒状のステップ（足場）１０１が水平に延びて配設されている。
【００２１】
帯本体２は、帯状で変形自在なものである。すなわち、電気絶縁性の樹脂シートで構成され、図２に示すように、長尺の長方形状で、その長さＬは、後述するようにして、ステップ１０１を覆った状態で電柱１００に巻き付けられるように設定されている。また、幅Ｗは、作業者や地上の作業管理者などが目視確認しやすく、かつ、携帯しやすい大きさに設定されている。
【００２２】
この帯本体２は、全面がオレンジ色に着色され、表面の中央部に２つのメッセージシート２１が横並びに貼り付けられている。このメッセージシート２１は、帯本体２と同様に、帯状で変形自在な絶縁シートであり、全面が赤色に着色されている。また、中央部には、「作業範囲上限」という注意喚起メッセージが記載・標示され、その上には、細く黄色い蛍光帯２２が配設されている。
【００２３】
ポケット３、４は、変形自在で帯本体２の端部２ａ、２ｂに設けられ、電柱１００に配設されたステップ１０１を挿入自在なものである。すなわち、ポケット３、４は、帯本体２と同様に、変形自在な長方形状の絶縁シートであり、幅Ｗが帯本体２とほぼ同寸法に設定され、全面が赤色に着色され、帯本体２の裏面・背面の両端部２ａ、２ｂに配設されている。
【００２４】
具体的には、左ポケット３は、帯本体２の裏面の左端部２ａに配置され、メッセージシート２１側の一辺３１を除く３辺において帯本体２の左端部２ａと接合されている。これにより、左ポケット３と左端部２ａとで袋が形成され、一辺３１からステップ１０１を挿入できるようになっている。
【００２５】
同様に、右ポケット４は、帯本体２の裏面の右端部２ｂに配置され、メッセージシート２１側の一辺４１を除く３辺において帯本体２の右端部２ｂと接合されている。これにより、右ポケット４と右端部２ｂとで袋が形成され、図３に示すように、一辺４１からステップ１０１を挿入できるようになっている。ここで、ステップ１０１の形状、大きさは複数種存在し、ポケット３、４の大きさは、想定される複数種のステップ１０１を挿入できるように設定されている。
【００２６】
第１の面ファスナ５および第２の面ファスナ６は、一方のポケット３、４にステップ１０１を挿入して帯本体２を電柱１００に巻き付けた状態で、この巻き付け状態を保持するとともに保持を解除可能なファスナであり、帯本体２の両端部２ａ、２ｂ側に設けられている。
【００２７】
すなわち、第１の面ファスナ５は、フックタイプの面ファスナで長方形状に形成され、１つの第１の面ファスナ５が、帯本体２の裏面の左ポケット３の一辺３１側から（一部が左ポケット３内に位置して）メッセージシート２１側にわたって配設されている。また、２つの第１の面ファスナ５が、左ポケット３の表面（帯本体２の裏面と面一の面）に横並びに、左ポケット３の全表面をほぼ覆うように配設されている。
【００２８】
同様に、第２の面ファスナ６は、ループタイプの面ファスナで長方形状に形成され、１つの第２の面ファスナ６が、帯本体２の裏面の右ポケット４の一辺４１側から（一部が右ポケット４内に位置して）メッセージシート２１側にわたって配設されている。また、２つの第２の面ファスナ６が、右ポケット４の表面（帯本体２の裏面と面一の面）に横並びに、右ポケット４の全表面をほぼ覆うように配設されている。
【００２９】
このように、ポケット３、４に２つの面ファスナ５、６を分けて配設しているのは、電柱用危険標示帯１を小さく折り畳みやすくするためである。そして、後述するように、一方のポケット３、４にステップ１０１を挿入して帯本体２を電柱１００に巻き付けた状態で、第１の面ファスナ５と第２の面ファスナ６とを接続・接合させることで、この巻き付け状態が保持され、電柱用危険標示帯１が電柱１００に取り付けられる。また、第１の面ファスナ５と第２の面ファスナ６とを引き離すことで、電柱用危険標示帯１を電柱１００から取り外せるものである。
【００３０】
第３の面ファスナ７および第４の面ファスナ８は、ポケット３、４にステップ１０１を挿入しないで帯本体２を電柱１００に巻き付けた状態で、この巻き付け状態を保持するとともに保持を解除可能なファスナであり、帯本体２の両端部２ａ、２ｂ側に設けられている。
【００３１】
すなわち、第３の面ファスナ７は、フックタイプの面ファスナで長方形状に形成され、２つの第３の面ファスナ７が、帯本体２の表面の右端（裏面の左端部２ａの端縁）近くからメッセージシート２１に至って、横並びに配設されている。同様に、第４の面ファスナ８は、ループタイプの面ファスナで長方形状に形成され、２つの第４の面ファスナ８が、帯本体２の表面の左端（裏面の右端部２ｂの端縁）近くからメッセージシート２１に至って、横並びに配設されている。
【００３２】
このように、２つの面ファスナ７、８を分けて配設しているのは、電柱用危険標示帯１を小さく折り畳みやすくするためであり、分け位置は、面ファスナ５、６の分け位置とほぼ重なるように設定されている。そして、後述するように、ポケット３、４にステップ１０１を挿入しないで帯本体２を電柱１００に巻き付けた状態で、第２の面ファスナ６と第３の面ファスナ７または第１の面ファスナ５と第４の面ファスナ８を接続・接合させることで、この巻き付け状態が保持され、電柱用危険標示帯１が電柱１００に取り付けられる。また、第２の面ファスナ６と第３の面ファスナ７または第１の面ファスナ５と第４の面ファスナ８を引き離すことで、電柱用危険標示帯１を電柱１００から取り外せるものである。
【００３３】
このように、この実施の形態では、第１の面ファスナ５と第２の面ファスナ６とが保持手段を構成し、すべての面ファスナ５〜８が第２の保持手段を構成する。また、すべての面ファスナ５〜８は、シート状で変形自在となっている。
【００３４】
次に、このような構成の電柱用危険標示帯１の作用や使用方法などについて説明する。
【００３５】
まず、作業者が、電柱用危険標示帯１を折り畳んで作業帯の物入れ（ポケット）などに入れて持ち運び、電柱１００に昇って所定の箇所に電柱用危険標示帯１を取り付ける。このとき、周辺にステップ１０１がある場合には、ステップ１０１を覆うようにして電柱用危険標示帯１を取り付ける。
【００３６】
すなわち、電柱１００の昇り方向に対して左側にステップ１０１がある場合、図４に示すように、一辺３１からステップ１０１を左ポケット３に挿入し、帯本体２を電柱１００に巻き付けて、図１に示すように、第１の面ファスナ５に第２の面ファスナ６を接続させる。これにより、ステップ１０１が左ポケット３に挿入された状態で、帯本体２が電柱１００に抱き付き、電柱用危険標示帯１が電柱１００に取り付けられる。
【００３７】
同様に、電柱１００の昇り方向に対して右側にステップ１０１がある場合、一辺４１からステップ１０１を右ポケット４に挿入し、帯本体２を電柱１００に巻き付けて、第２の面ファスナ６に第１の面ファスナ５を接続させる。そして、作業を終えて電柱用危険標示帯１を撤去する場合には、第１の面ファスナ５と第２の面ファスナ６とを引き離して、電柱用危険標示帯１を電柱１００から取り外す。
【００３８】
一方、周辺にステップ１０１がない場合には、ステップ１０１を覆わないで電柱用危険標示帯１を取り付ける。すなわち、図５に示すように、ポケット３、４にステップ１０１を挿入しないで帯本体２を電柱１００に巻き付け、第２の面ファスナ６と第３の面ファスナ７または第１の面ファスナ５と第４の面ファスナ８を接続させて、電柱用危険標示帯１を電柱１００に取り付ける。そして、作業を終えて電柱用危険標示帯１を撤去する場合には、第２の面ファスナ６と第３の面ファスナ７または第１の面ファスナ５と第４の面ファスナ８を引き離して、電柱用危険標示帯１を電柱１００から取り外すものである。
【００３９】
以上のように、本電柱用危険標示帯１によれば、帯本体２が電柱１００に巻き付けられるため、作業者は視覚によって、この電柱用危険標示帯１よりも上に昇ってはいけないことを認識することができる。しかも、帯本体２がオレンジ色に着色され、赤色に着色されたメッセージシート２１に注意喚起メッセージが標示されているため、視認によって効果的に注意喚起することができる。また、地上の作業管理者などからも、電柱用危険標示帯１が取り付けられていることやその位置を、確実かつ容易に目視確認することができる。しかも、黄色い蛍光帯２２が配設されているため、夜間などでも注意喚起等することができる。
【００４０】
さらに、作業者が電柱用危険標示帯１よりも上に昇ろうとしてステップ１０１に手を掛けると、ステップ１０１がポケット３、４に挿入されているため、作業者は手の握り感覚（触覚）によって、この電柱用危険標示帯１よりも上に昇ってはいけないことを認識することができる。つまり、作業者は、無意識に昇ろうとしても、ポケット３、４（帯本体２）を握ることで違和感を覚え、これ以上昇ってはいけないことを認識することができる。
【００４１】
このように、作業者は、視覚と触覚の両方によって、電柱用危険標示帯１よりも上に昇ってはいけないことを認識することができ、作業者が電柱１００に昇り過ぎるのをより確実・効果的に防止・抑制することが可能となる。この結果、身体が高圧活線接近限界距離に立ち入ることが防止され、安全性が向上する。
【００４２】
しかも、帯本体２やポケット３、４などが変形自在なため、電柱用危険標示帯１全体を折り畳んで作業帯の物入れなどに入れて持ち運ぶことができ、携帯性がよい。つまり、持ち運びや取り扱いが楽で、作業者への負担を軽減することができる。
【００４３】
また、ポケット３、４が帯本体２の両端部２ａ、２ｂに設けられているため、帯本体２を逆さまにすることなく、左右どちらのステップ１０１もポケット３、４に挿入することができる。この結果、帯本体２の表面に標記された注意喚起メッセージが逆さまにならず、適切に注意喚起することができる。このように、１つの電柱用危険標示帯１で左右どちらのステップ１０１にも適用・対応して、適切に注意喚起することができる。
【００４４】
さらに、保持手段や第２の保持手段が面ファスナ５〜８で構成されているだけであるため、構成が簡易であるとともに、全体を軽量化・小型化することができる。さらに、着脱操作が容易で、作業者への負担をより軽減することができる。
【００４５】
一方、ポケット３、４にステップ１０１を挿入しないで場合でも、帯本体２を電柱１００に巻き付けて保持することができるため、ステップ１０１がない箇所にも電柱用危険標示帯１を取り付けて、作業者に対して注意喚起することができる。このように、多様な使用態様が可能となり、使い勝手がよい。
【００４６】
以上、この発明の実施の形態について説明したが、具体的な構成は、上記の実施の形態に限られるものではなく、この発明の要旨を逸脱しない範囲の設計の変更等があっても、この発明に含まれる。例えば、ポケット３、４と帯本体２の端部２ａ、２ｂとで袋を形成しているが、帯本体２の端部（端縁）に袋状のポケットを接続・配設するようにしてもよい。また、フックタイプの面ファスナ５、７とループタイプの面ファスナ６、８とを区別して配設しているが、フックとループの区別がないタイプの面ファスナで全面ファスナ５〜８を構成してもよい。
【符号の説明】
【００４７】
１        電柱用危険標示帯
２        帯本体
２ａ      左端部
２ｂ      右端部
３、４    ポケット
５〜８    面ファスナ（保持手段、第２の保持手段）
１００    電柱
１０１    ステップ
【要約】
【課題】  作業者が電柱に昇り過ぎるのをより確実に防止・抑制することが可能で、しかも、携帯性がよい電柱用危険標示帯を提供する。
【解決手段】  帯状で変形自在な帯本体２と、変形自在で帯本体２の端部２ａ、２ｂに設けられ、電柱１００に配設されたステップ１０１を挿入自在なポケット３、４と、一方のポケット３、４にステップ１００を挿入して帯本体２を電柱１００に巻き付けた状態で、該巻き付け状態を保持する面ファスナ５〜８と、を備える。
【選択図】  図１【図１】
0005932015.tif 000002
【図２】
0005932015.tif 000003
【図３】
0005932015.tif 000004
【図４】
0005932015.tif 000005
【図５】
0005932015.tif 000006